(57)【特許請求の範囲】
【請求項１】
ハウジング（１０）と、ハウジング（１０）上に前後方向へ移動可能に取り付けられ、ハウジング（１０）との間に前方を挿入口とするカード挿入スロット（２０）を形成する金属製のスライドカバー（３０）と、ハウジング（１０）に固定され、カード挿入スロット（２０）に挿入されたメモリカード（２００）の電極部（２０２）と接触可能な接触部（５３）を有する接続用端子（５０）と、ハウジング（１０）に固定された固定用端子（６０）（６０）とから成り、ハウジング（１０）は、略矩形板状に形成された底板（１２）と、底板（１２）の両側から上方へ立設された側板（１３）（１３）とを備え、固定用端子（６０）（６０）は、ハウジング（１０）の両側の外側面から略水平に外側へ突出する水平部（６１）（６１）と、水平部（６１）（６１）に連結して基板に接続される接続部（６３）（６３）とを備え、スライドカバー（３０）は、ハウジング（１０）上を覆うスライドカバー本体（３２）と、スライドカバー本体（３２）の両側に連設され、固定用端子（６０）（６０）の水平部（６１）（６１）と係合してスライドカバー（３０）を前後方向へ移動可能に案内するとともに、スライドカバー（３０）の後方への移動を制限する第１ガイド片（４５）（４５）と、スライドカバー本体（３２）と第１ガイド片（４５）（４５）の一方に連設され、スライドカバー（３０）の前方への移動を制限するストッパー爪（３７）（３７）とを備えたことを特徴とするメモリカード用コネクタ。
【請求項２】
第１ガイド片（４５）（４５）は、スライドカバー本体（３２）の両側から下方へ垂設され、スライドカバー（３０）が後方へ移動したときに固定用端子（６０）（６０）の水平部（６１）（６１）に当接してスライドカバー（３０）の後方への移動を制限するストッパー片部（３４）（３４）と、ストッパー片部（３４）（３４）の先端側から後方へ向けて連設され、スライドカバー本体（３２）との間に後方側を開口した案内用間隙（３５）（３５）を形成し、この案内用間隙（３５）（３５）に固定用端子（６０）（６０）の水平部（６１）（６１）移動可能に係合させるアーム片部（３６）（３６）とで形成されていることを特徴とする請求項１記載のメモリカード用コネクタ。
【請求項３】
アーム片部（３６）（３６）が幅広に形成され、ストッパー爪（３７）（３７）がアーム片部（３６）（３６）の先端部から上方へ突設されていることを特徴とする請求項２記載のメモリカード用コネクタ。
【請求項４】
アーム片部（３６）（３６）が幅狭に形成され、ストッパー爪（３７）（３７）がスライドカバー本体（３２）の両側であって案内用間隙（３５）（３５）の開口部近傍から下方へ突設されていることを特徴とする請求項２記載のメモリカード用コネクタ。
【請求項５】
スライドカバー（３０）には、カード挿入スロット（２０）に挿入されたメモリカード（２００）の把持領域（２０１）を露出させるための切欠き（３１）が形成されていることを特徴とする請求項１乃至４のいづれかに記載のメモリカード用コネクタ。
【請求項６】
基板（２）の端部に形成された取付用切欠き（３）や基板（２）に形成された取付用貫通孔に実装されるメモリカード用コネクタであって、ハウジング（１０）は複数の接続用端子（５０）を固定する底板（１２）を備え、底板（１２）には、カード挿入スロット（２０）に挿入されメモリカード（２００）で弾性変形した接続用端子（５０）の接触部（２０２）を遊嵌する逃げ孔（１１）が形成されていることを特徴とする請求項１乃至５のいづれかに記載のメモリカード用コネクタ。
【請求項７】
接続用端子（５０）は、前後方向に沿って少なくとも２列であって各列に複数形式されるとともに、その固定部（５１）がハウジング（１０）のカード挿入奥側に固定されていることを特徴とする請求項１乃至６のいずれか記載のメモリカード用コネクタ。
【発明の詳細な説明】
【技術分野】
【０００１】
本発明は、携帯電話機、パーソナルコンピュータ等の小型電子機器に用いられるＩＣカードのようなメモリカードにデータを書き込んだり、メモリカードからデータを読み出すために使用されるメモリカード用コネクタに関するものである。
【背景技術】
【０００２】
従来、この種のメモリカード用コネクタには、図１３〜図１６に示すようなメモリカード用コネクタ１００が知られている（特許文献１）。
【特許文献１】特開２００７−６６５８６号公報
【０００３】
すなわち、メモリカード用コネクタ１００は、図１６に示すように、ハウジング１１０と、ハウジング１１０上に取り付けられ、ハウジング１１０との間にカード挿入スロット１２０を形成するカバー１３０と、ハウジング１１０に固定され、カード挿入スロット１２０に挿入されたメモリカード２００の電極部と接触可能な接触部１５０を有する複数の端子１５０と、カバー１３０の上面に沿って移動可能に取り付けられたスライダ１６０とから成り、これらを組み立てて図１３及び図１５に示すように形成される。
【０００４】
スライダ１６０には、カバー１３０の両側に形成されたガイド１３１、１３１に係合するガイド部１６１、１６１が形成され、スライダ１６０がメモリカード２００の挿抜方向に沿って移動可能に案内される。また、ハウジング１１０には、スライダ１６０の前方への移動時にガイド部１６１、１６１に当接して前方への移動を制限する前方ストッパー段部１１１、１１１が形成されるとともに、後方への移動時にガイド部１６１、１６１に当接して後方への移動を制限する後方ストッパー段部１１２、１１２が形成され、スライダ１６０の前後方向の移動がこれらのストッパー段部１１１，１１１、１１２，１１２の間に制限される。
【０００５】
そして、メモリカード用コネクタ１００のカード挿入スロット１２０に挿入されたメモリカード２００を抜き出す場合には、スライダ１６０の前端に設けられた取っ手１６２を持ってスライダ１６０を前方に引き出す。このスライダ１６０の引き出しによってスライダ１６０の後端に設けられたイジェクト爪１６３、１６３がメモリカード２００をカード挿入スロット１２０から引き出す。ついでスライダ１６０を後方へ押し込む。このスライダ１６０の押し込みでメモリカード２００のみが前方に引き出された状態で残され、このメモリカード２００を掴んで引き出すことによってメモリカード２００がメモリカード用コネクタ１００のカード挿入スロット１２０から抜き出される。
【発明の開示】
【発明が解決しようとする課題】
【０００６】
しかしながら、図１３〜図１６に示した従来のメモリカード用コネクタ１００は、ハウジング１１０と、カバー１３０と、複数の端子１５０と、スライダ１６０とから成っているので、構造が複雑になるという問題点があった。  
また、スライダ１６０に形成されたガイド部１６１、１６１を合成樹脂製のハウジング１１０に形成された前方ストッパー段部１１１、１１１と後方ストッパー段部１１２、１１２に当接してスライダ１６０の前後方向の移動範囲を制限しているので、スライダ１６０を引き抜く際の抜け強度（抜けに対する強度）が弱く、スライダ１６０の移動操作（摺動操作）でハウジング１１０が壊れ易いという問題点があった。
また、カバー１３０のガイド片１３１、１３１にスライダ１６０のガイド部１６１、１６１を係合してスライダ１６０をメモリカード２００の前後方向（挿抜方向）に移動する構造のため、メモリカード２００の抜去時にスライダ１６０もメモリカード２００とともに前方に引き出されているので、メモリカード２００でスライダ１６０がコネクタ上下方向にあおられた場合に、コネクタ半田付け部の剥離方向に直接負荷が加わり、コネクタ半田付け部が剥離し易いという問題点があった。
【０００７】
本発明は、上述の問題に鑑みなされたもので、構造が簡単で、スライドカバーの移動操作等で破壊し難く、しかも基板へのコネクタ半田付け部が剥離し難いメモリカード用コネクタを提供することを目的とするものである。 
【課題を解決するための手段】
【０００８】
請求項１記載の発明は、ハウジングと、前記ハウジング上に前後方向へ移動可能に取り付けられ、前記ハウジングとの間に前方を挿入口とするカード挿入スロットを形成する金属製のスライドカバーと、前記ハウジングに固定され、前記カード挿入スロットに挿入されたメモリカードの電極部と接触可能な接触部を有する接続用端子とから成るメモリカード用コネクタであって、前記ハウジングは、略矩形板状に形成された底板と、前記底板の両側から上方へ立設された側板とを備え、前記ハウジングの両側の外側面から略水平に外側へ突出する水平部と、前記水平部に連結して基板に接続される接続部とを有する固定用端子を備え、前記スライドカバーが、前記ハウジング上を覆うスライドカバー本体と、前記スライドカバー本体の両側に連設され、前記固定用端子の水平部と係合して前記スライドカバーを前後方向へ移動可能に案内するとともに、前記スライドカバーの後方への移動を制限する第１ガイド片と、前記スライドカバーと前記第１ガイド片の一方に連設され、前記スライドカバーの前方への移動を制限するストッパー爪とを備えていることを特徴とする。
【０００９】
請求項２記載の発明は、請求項１記載の発明において、第１ガイド片は、スライドカバー本体の両側から下方へ垂設され、スライドカバーが後方へ移動したときに前記スライドカバーの後方への移動を制限するストッパー片部と、前記ストッパー片部の先端側から後方へ向けて連設され、前記スライドカバー本体との間に後方側を開口した案内用間隙を形成し、この案内用間隙に固定用端子の水平部を移動可能に係合させるアーム片部とで形成されていることを特徴とする。
【００１０】
請求項３記載の発明は、請求項２記載の発明において、アーム片部が幅広に形成され、ストッパー爪が前記アーム片部の先端部から上方へ突設されていることを特徴とする。
【００１１】
請求項４記載の発明は、請求項２記載の発明において、アーム片部が幅狭に形成され、ストッパー爪がスライドカバー本体の両側であって案内用間隙の開口部近傍から下方へ突設されていることを特徴とする。    
【００１２】
請求項５記載の発明は、請求項１乃至４のいづれかに記載の発明において、スライドカバーに、カード挿入スロットへ挿入されたメモリカードを手で持つことの可能な把持領域を露出させる切欠きが形成されていることを特徴とする。    
【００１３】
請求項６記載の発明は、請求項１乃至５のいづれかに記載の発明において、基板の端部に形成された取付用切欠き又は基板に形成された取付用貫通孔に実装されるメモリカード用コネクタであって、ハウジングが複数の接続用端子を固定する底板を備え、前記底板には、カード挿入スロットに挿入されメモリカードで弾性変形した接続用端子の接触部を遊嵌する逃げ孔が形成されていることを特徴とする。    
【００１４】
請求項７記載の発明は、請求項１乃至６のいづれかに記載の発明において、複数の接続用端子は、前後方向に沿って少なくとも２列であって各列に複数形成されるとともに、その固定部がハウジングのカード挿入奥側に固定されていることを特徴とする。    
【発明の効果】
【００１５】
請求項１記載の発明は、メモリカード用コネクタを、ハウジング、スライドカバー、接続用端子及び固定用端子で構成し、従来例のカバーとスライダの２部品をスライドカバーの１部品で兼用しているので、部品点数を減らして構造を簡単にすることができる。
さらに、ハウジングに固定された固定用端子が水平部を備え、スライドカバーに形成された第１ガイド片が、固定用端子の水平部と係合してスライドカバーを前後方向へ移動可能に案内するとともに、スライドカバーの後方への移動を制限し、ストッパー爪がスライドカバーの前方への移動を制限しているので、メモリカードの排出操作時にスライドカバーに加えられる力を金属製の固定用端子で受け止めることができ、コネクタ強度を向上させることができるとともに、スライドカバーのハウジングからの抜けに対する強度を向上させることができる。
しかも、スライドカバーに形成された第１ガイド片が固定用端子の水平部と係合してスライドカバーを前後方向へ移動可能に案内しているので、メモリカード抜去時にメモリカードでスライドカバーがコネクタ上下方向にあおられた場合に、コネクタ半田付け部に加わる剥離方向の負荷を緩和して半田付け部を剥離し難くすることができる。
【００１６】
請求項２記載の発明は、請求項１に記載の発明において、第１ガイド片をストッパー片部とアーム片部で形成し、ストッパー爪をスライドカバー本体とアーム片部の一方に連設形成したので、第１ガイド片とストッパー爪の構成を簡単にすることができる。
【００１７】
請求項３記載の発明は、請求項２に記載の発明において、第１ガイド片のアーム片部を幅広に形成し、ストッパー爪をアーム片部の先端部から上方へ突設したので、アーム片部のばね定数を大きくして、スライドカバーの移動時（摺動時）におけるスライドカバー本体とアーム片部の間に形成された案内用間隙によるスライドカバーのガイド規制力を大きくしてコネクタ半田付け部に加わる剥離方向の負荷を緩和することができ、スライドカバーの移動操作性（摺動操作性）を向上させることができる。
【００１８】
請求項４記載の発明は、請求項２に記載の発明において、第１ガイド片のアーム片部を幅狭に形成し、ストッパー爪がスライドカバー本体の両側であって案内用間隙の開口部近傍から下方へ突設したので、アーム片部のばね定数を小さくしてアーム片部にばね性をもたせ、メモリカードの抜去時にスライドカバーがメモリカードでコネクタ上下方向にあおられた場合にコネクタ半田付け部に加わる剥離方向の負荷を緩和することができる。
【００１９】
請求項５記載の発明は、請求項１乃至４のいづれかに記載の発明において、スライドカバーに切欠きを形成してカード挿入スロットに挿入されたメモリカードの把持領域を露出させているので、メモリカードの取り出しを、スライドカバーを引き出してメモリカードをカード挿入スロットから引き出す操作と、露出した把持領域を手で持ってメモリカードを引き出す操作の２段階の操作で行うことができ、メモリカードの排出操作を従来例より容易にすることができる。
【００２０】
請求項６記載の発明は、請求項１乃至５のいづれかに記載の発明において、基板にメモリカード用コネクタを実装する取付用切欠きを形成し、底板に逃げ孔を形成してメモリカードで弾性変形した接続用端子の接触部を遊嵌する構成としたので、メモリカードの挿入で弾性変形する接続用端子の接触部の先端部をコネクタ底面より突出させることができ、接触部の先端部を長くしてメモリカードの挿入時に接続用端子が座屈するのを防止することができる。
【００２１】
請求項７記載の発明は、請求項１乃至６のいづれかに記載の発明において、複数の接続用端子が、前後方向に沿って少なくとも２列であって各列に複数形式されるとともに、その固定部がハウジングのカード挿入奥側に固定されているので、コネクタ前後方向の全長を短かくしてコネクタの基板占有面積を小さくすることができる。
【実施例】
【００２２】
図１〜図６は本発明によるメモリカード用コネクタの一実施例を示すもので、これらの図において、１は、プリント配線基板２（以下単に基板２という。）の取付用切欠き３に実装されるメモリーカード用コネクタである。
メモリカード用コネクタ１は、絶縁ハウジング（以下単にハウジングという。）１０と、ハウジング１０上に前後方向へ移動可能に取り付けられてハウジング１０との間にカード挿入スロット２０を形成するスライドカバー３０と、ハウジング１０に固定されて接触部をカード挿入スロット２０内に臨ませた６個の接続用端子５０と、ハウジング１０に固定された２個の第１固定用端子６０及び第２固定用端子７０とからなっている。
【００２３】
ハウジング１０は、絶縁性合成樹脂で成形され、図３に示すように、平面視で略矩形板状に形成された底板１２と、底板１２の両側から上方へ立設された側板１３、１３と、底板１２の後側から上方へ立設されるとともに側板１３、１３に連設された背板１５とで形成されている。
底板１２には、接続用端子５０〜５０の接触部５３〜５３を遊嵌する逃げ孔１１〜１１が形成されている。
側板１３、１３は、その後方部が前方部及び中間部と比べて幅広に形成され、その後方部と中間部の境い目に形成された段部１４、１４の前方へ向いた段面がストッパー段面１７、１７となっている。
側板１３、１３の幅狭の前方部及び中間部の外側面には、スライドカバー３０が取り付けられたときにスライドカバー３０を前後方向に案内する案内段部１６、１６が形成されている。
【００２４】
６個の接続用端子５０、２個の第１固定用端子６０及び第２固定用端子７０は、導電性金属板の打ち抜き、折り曲げ等で一体に連結して形成され、ハウジング１０の成形時にインサート成形によってハウジング１０に組み込まれる。
端子５０〜５０、６０、６０、７０、７０間の連結部は、インサート成形後にハウジング１０の所定箇所１８〜１８を打ち抜くことによって切断される。
【００２５】
６個の接続用端子５０は、その固定部５１がハウジング１０のカード挿入奥側に固定され、その接続部５２がハウジング１０の背板１５の外側面から後方へ突設され、その接触部５３がカード挿入スロット２０内に臨設されている。
２個の第１固定用端子６０及び第２固定用端子７０の固定部６７、６７はハウジング１０の底板１２及び側板１３、１３に固定されている。
第１固定用端子６０、６０の接続部側には、側板１３、１３の前方側の外側面上部から外側へ略水平に突設する水平部６１、６１と、水平部６１、６１に連結部６２、６２を介して連結されて基板２上の接続用ランドに半田接続される接続部６３、６３とが形成されている。
第２固定用端子７０、７０の接続側には、側板１３、１３の後方側の外側面上部から外側へ略水平に突出する水平部７１、７１と、水平部７１、７１に連結部７２、７２を介して連結されて基板２上の接続用ランドに半田接続される接続部７３、７３とが形成されている。
【００２６】
スライドカバー３０は、導電性金属板の打ち抜き、折り曲げ等で形成され、図３に示すように、平面視で略矩形板状に形成されるとともに前端側に切欠き３１が形成されたスライドカバー本体３２と、スライドカバー本体３２の前端から上方へ立設された取っ手３３と、スライドカバー本体３２の両側に連設された第１、第２ガイド片４５，４５、３８，３８と、第１ガイド片４５、４５に連設されたストッパー爪３７、３７と、スライドカバー本体３２の後端に連設されてスライドカバー３０の前方への移動を制限するイジェクト爪３９、３９とを備えている。
【００２７】
スライドカバー３０の切欠き３１は、メモリカード２００をメモリカード用コネクタ１のカード挿入スロット２０に挿入したときに、メモリカード２００の把持領域２０１を露出させるためのものである。
イジェクト爪３９、３９は、スライドカバー本体３２の後端から下方へ垂設され、スライドカバー３０がハウジング１０に取り付けられたときにハウジング１０内に突出して、カード挿入スロット２０に挿入されたメモリカード２００の先端部に当接する位置に形成されている。
【００２８】
第１ガイド片４５、４５は、ストッパー片部３４、３４とアーム片部３６、３６で形成され、第１固定用端子６０、６０の水平部６１、６１と係合してスライドカバー３０を前後方向へ移動可能に案内するとともに、スライドカバー３０の後方への移動を制限する。
ストッパー片部３４、３４は、スライドカバー本体３２の両側の前方から下方へ垂設され、スライドカバー３０がハウジング１０に取り付けられたときに第１固定用端子６０、６０の水平部６１、６１に当接してスライドカバー３０の後方への移動を制限し、アーム片部３６、３６は、ストッパー片部３４、３４の先端部から後方へ向かって片持ち板片状に連設され、スライドカバー本体３２との間に後方側を開口した案内用間隙３５、３５を形成し、この案内用間隙３５、３５に第１固定用端子６０、６０の水平部６１、６１を前後方向へ移動可能に係合させている。
ストッパー爪３７、３７は、アーム片部３６、３６の先端側から上方へ突設され、第１固定用端子６０、６０の水平部６１、６１に当接することによって、スライドカバー３０の前方への移動を制限する。
【００２９】
第２ガイド片３８、３８は、スライドカバー本体３２の両側の後方から下方へ垂設され、ハウジング１０の案内段部１６、１６と係合してスライドカバー３０を前後方向へ移動可能に案内するとともに、段部１４、１４のストッパー段面１７、１７に当接してスライドカバー３０の後方への移動を制限している。
【００３０】
つぎに、メモリカード用コネクタ１の組立について説明する。
（１）合成樹脂成形によってハウジング１０が形成され、このハウジング１０の成形時に一連に形成された端子群５０〜５０、６０、６０、７０、７０がインサート成形でハウジング１０に組み込み固定され、ついで所定箇所１８〜１８の打ち抜きで各端子間の連結部が切断され、図３の下側に示すような端子群５０〜５０、６０、６０、７０、７０が組み込まれたハウジング１０が形成される。
【００３１】
（２）導電性金属板の打ち抜き、折り曲げ等で形成された図３の上側に示すスライドカバー３０を、図３の下側に示すハウジング１０上に取り付け、スライドカバー３０とハウジング１０の間にカード挿入スロット２０を形成する、図１及び図２に示すようなメモリカード用コネクタ１を形成する。
このスライドカバー３０のハウジング１０上への取り付けは、まず、スライドカバー３０のストッパー爪３７、３７がハウジング１０の第１固定用端子６０、６０より前方側の上部に位置するとともに、スライドカバー３０の第２ガイド片３８、３８がハウジング１０の案内段部１６、１６の上部に位置するように位置合わせをして、矢印ａに示すようにスライドカバー３０をハウジング１０上に被せて第２ガイド片３８、３８を案内段部１６、１６に係合し、ついで矢印ｂに示すようにスライドカバー３０を後方へ移動してスライドカバー３０の案内用間隙３５、３５にハウジング１０の第１固定用端子６０、６０の水平部６１、６１、６１を係合する。
【００３２】
（３）前記（１）（２）により、スライドカバー３０は、ハウジング１０上に前後方向へ移動可能に取り付けられるとともに、その移動範囲が制限される。具体的には、第１ガイド片４５、４５の案内用間隙３５、３５に第１固定用端子６０、６０の水平部６１、６１が係合することによってスライドカバー３０が前後方向へ移動可能に案内されるとともに、第１ガイド片４５、４５のストッパー片部３４、３４とストッパー爪３７、３７が水平部６１、６１に当接することによってスライドカバー３０の前後方向への移動が制限され、さらに、スライドカバー３０の第２ガイド片３８、３８がハウジング１０の段部１４、１４のストッパー段面１７、１７の当接によってスライドカバー３０の後方への移動が制限されている。
【００３３】
つぎに、前記実施例の作用について、図７〜図１１を併用して説明する。
メモリカード用コネクタ１の下側部を基板２の取付用切欠き３に挿入し、メモリカード用コネクタ１の端子５０〜５０、６０、６０、７０、７０の接続部５２〜５２、６３、６３、７３、７３を基板２上の対応する接続用ランド（図示省略）に半田接続することによって、図７に示すように、メモリカード用コネクタ１が基板２に実装される。
以下、基板２に実装されたメモリカード用コネクタ１へのカード挿入時、カード嵌合時、カード取り出し時に分けて説明する。
【００３４】
（１）カード挿入時
メモリカード２００の挿入時には、メモリカード２００を把持して図７に矢印で示す方向に移動させ、メモリカード用コネクタ１のカード挿入スロット２０に挿入し、メモリカード２００の先端部をハウジング１０の背板１５の内側面に当接させることにより、図８に示すようなカード嵌合状態となる。
【００３５】
（２）カード嵌合時
前記（１）のカード挿入で図８に示すようなカード嵌合状態になると、図１０に示すような接続用端子５０〜５０の接触部５３〜５３がメモリカード２００の電極部２０２〜２０２と弾性接触し、基板２上の電気回路と電気的に接続される。
このとき、接続用端子５０〜５０の接触部５３〜５３は、図９に示すようにハウジング１０の底板１２の逃げ孔１１〜１１に遊嵌されているので、カード嵌合時には、端子５０〜５０接触部５３〜５３が弾性変形してメモリカード２００の電極部２０２〜２０２と接触するが、メモリカード用コネクタ１が基板２の取付用切欠き３に実装されているので、接触部５３〜５３の先端部がコネクタ底面４より距離Ｔ（例えば０．１２ｍｍ）突出しても問題とならない。
【００３６】
（３）カード取り出し時
メモリカード２００をカード挿入スロット２０から排出するためにスライドカバー３０の取っ手３３をもってスライドカバー３０を前方へ引き出すと、図１１に示すような状態となる。
すなわち、スライドカバー３０を前方へ引き出すと、スライドカバー３０のイジェクト爪３９、３９によってメモリカード２００が前方へ引き出され、スライドカバー３０のストッパー爪３７、３７が第１固定用端子６０、６０の水平部６１、６１に当接して前方への移動が制限され、図１１に示すような状態となる。
このとき、スライドカバー３０に形成された第１ガイド片４５、４５が第１固定用端子６０、６０の水平部６１、６１と係合してスライドカバー３０を前後方向へ移動可能に案内しているので、メモリカード２００の抜去時にメモリカード２００でスライドカバー３０がコネクタ上下方向にあおられた場合に、コネクタ半田付け部に加わる剥離方向の負荷を緩和して半田付け部を剥離し難くすることができる。
その上、メモリカード２００のイジェクト操作時にスライドカバー３０に加えられる力を金属製の第１固定用端子６０で受け止めることができ、コネクタ強度を向上させることができるとともに、スライドカバー３０のハウジング１０からの抜けに対する強度を向上させることができる。
さらに、メモリカード２００は、スライドカバー３０と一緒に移動し、メモリカード２００の上面がスライドカバー３０の内面と摺動接触しないので、メモリカード２００のイジェクト操作を円滑にすることができる。
そして、スライドカバー３０の切欠き１１で露出しているメモリカード２００の把持領域２０１を手で持ち、メモリカード２００を引き出すことができる。
【００３７】
前記実施例では、第１ガイド片のアーム片部を幅広に形成してアーム片部のばね定数を大きくするとともに、アーム片部の先端部からストッパー爪を突設し、スライドカバーの移動時における案内用間隙によるスライドカバーのガイド規制力を大きくしてコネクタ半田付け部に加わる剥離方向の負荷を緩和し、スライドカバーの摺動操作性を向上させるようにしたが、本発明はこれに限るものでなく、第１ガイド片のアーム片部を幅狭に形成してアーム片部のばね定数を小さくするとともに、スライドカバー本体側にストッパー爪を設けた場合についても利用することができる。
例えば、図１２に示したものについても利用することができる。
すなわち、アーム片部３６、３６を幅狭に形成してアーム片部３６、３６のばね定数を小さくしてアーム片部３６、３６にばね性をもたせ、イジェクト爪３９、３９をスライドカバー本体３２の両側であって、案内用間隙３５、３５の開口部近傍から下方へ突設した場合についても利用することができる。この場合、アーム片部３６、３６のばね定数を小さくしてアーム片部３６、３６にばね性をもたせているので、メモリカード２００の抜去時にスライドカバー３０がメモリカード２００でコネクタ上下方向にあおられた場合に、コネクタ半田付け部に加わる剥離方向の負荷を緩和することができる。
【００３８】
前記実施例では、第１ガイド片とストッパー爪の構成を簡単にするために、第１ガイド片をストッパー片部とアーム片部で形成し、ストッパー爪を、スライドカバー本体の案内用間隙の開口部近傍から下方へ突設するストッパー爪と、アーム片部の先端部から上方へ突設するストッパー爪のいずれか一方で形成した場合について説明したが、本発明はこれに限るものでなく、第１ガイド片が、スライドカバー本体の両側に連設され、固定用端子の水平部と係合してスライドカバーを前後方向へ移動可能に案内するとともに、スライドカバーの後方への移動を制限し、ストッパー爪が、スライドカバー本体と第１ガイド片の一方に連設されてスライドカバーの前方への移動を制限するように構成した場合についても利用することができる。
【００３９】
前記実施例では、メモリカードの排出操作を容易にするために、スライドカバーに切欠きを形成し、カード挿入スロットに挿入されたメモリカードの把持領域を露出させるようにしたが、本発明はこれに限るものでなく、スライドカバーに切欠きを形成しない場合についても利用することができる。
この場合のメモリカードの排出操作は、スライドカバーを前方へ引き出してメモリカードを前方へ引き出した後に、スライドカバーのみを後方へ押し込んでメモリカードを前方へ残し、メモリカードを抜去することになる。
【００４０】
前記実施例では、基板にメモリカード用コネクタを実装する取付用切欠きを形成し、底板に逃げ孔を形成してメモリカードの挿入で弾性変形した接続用端子の接触部を遊嵌する構成とした場合について説明したが、基板にメモリカード用コネクタを実装する取付用貫通孔を形成し、底板に逃げ孔を形成してメモリカードの挿入で弾性変形した接続用端子の接触部を遊嵌する構成とした場合についても利用することができる。
【００４１】
前記実施例では、基板上からのコネクタ突出高さを低く抑えることができ、接続用端子の接触部の先端部をコネクタ底面より突出でき、接続用端子の座屈防止を容易にできるようにするため、基板にメモリカード用コネクタを実装する取付用切欠き又は取付用貫通孔を形成し、底板に逃げ孔を形成してメモリカードの挿入で弾性変形した接続用端子の接触部を遊嵌する構成とした場合について説明したが、本発明はこれに限るものでなく、基板上に直接メモリカード用コネクタを実装する場合や、底板に逃げ孔を形成しない場合についても利用することができる。
【００４２】
前記実施例では、コネクタの前後方向の全長を短くしてコネクタの基板占有面積を小さくするために、接続用端子の固定部がハウジングのカード挿入奥側に固定されている場合について説明したが、本発明はこれに限るものでなく、接続用端子の固定部の一部が、ハウジングのカード挿入奥側で残りがハウジングのカード挿入口側に固定される場合や、接続用端子の全部がハウジングのカード挿入口側に固定されている場合についても利用することができる。
【図面の簡単な説明】
【００４３】
【図１】本発明によるメモリカード用コネクタ１の一実施例を示す斜視図である。
【図２】図１のメモリカード用コネクタ１の一部を図１とは異なる視点から見た部分拡大斜視図である。
【図３】メモリカード用コネクタ１の分解斜視図である。
【図４】図１〜図３中の端子５０、６０、７０を示す斜視図である。
【図５】メモリカード用コネクタ１を基板２の取付用切欠き３に実装した状態を示す斜視図である。
【図６】図５をカード挿入スロット２０のカード挿入口側から見た正面図である。
【図７】メモリカード用コネクタ１に対するメモリカード２００の挿入操作を説明する斜視図である。
【図８】メモリカード用コネクタ１に対するメモリカード２００の嵌合状態を示す斜視図である。
【図９】図１〜図３中のハウジング１０に接続用端子５０〜５０及び固定用端子６０、６０、７０、７０が固定されている状態を示すもので、一部を断面で示した部分斜視図である。
【図１０】図８のカード嵌合状態において、メモリカード２００の電極部２０２に接続用端子５０の接触部５３が弾性接触している状態を示す部分断面図である。
【図１１】メモリカード用コネクタ１からメモリカード２００を取り出すために、スライドカバー３０を引き出した状態を示す斜視図である。
【図１２】他の実施例を示す斜視図である。
【図１３】従来例を示す平面図である。
【図１４】図１３のメモリカード用コネクタ１００においてカバー１３０及びスライダ１６０を取り付ける前の状態を示すもので、複数の端子１５０が組み込まれたハウジング１１０の平面図である。
【図１５】メモリカード用コネクタ１００を前後方向に沿って切断した拡大断面図である。
【図１６】メモリカード用コネクタ１００の分解斜視図である。
【符号の説明】
【００４４】
１…メモリカード用コネクタ
２…基板（プリント配線基板）
３…取付用切欠き
１０…ハウジング
１２…底板
１３…側板
２０…カード挿入スロット
３０…スライドカバー
３２…スライドカバー本体
３３…取っ手
３４…ストッパー片部
３５…案内用間隙
３６…アーム片部
３７…ストッパー爪
３８…第２ガイド片                
３９…イジェクト爪
４５…第１ガイド片
５０…接続用端子        
５１…端子５０の固定部    
５２…端子５０の接続部
５３…端子５０の接触部
６０…第１固定用端子
６１…端子６０の水平部
６３…端子６０の接続部   
７０…第２固定用端子    
２００…メモリカード       
２０１…カード２００の把持領域      
２０２…カード２００の接触部 
【図１】
0004479970.tif 000002
【図２】
0004479970.tif 000003
【図３】
0004479970.tif 000004
【図４】
0004479970.tif 000005
【図５】
0004479970.tif 000006
【図６】
0004479970.tif 000007
【図７】
0004479970.tif 000008
【図８】
0004479970.tif 000009
【図９】
0004479970.tif 000010
【図１０】
0004479970.tif 000011
【図１１】
0004479970.tif 000012
【図１２】
0004479970.tif 000013
【図１３】
0004479970.tif 000014
【図１４】
0004479970.tif 000015
【図１５】
0004479970.tif 000016
【図１６】
0004479970.tif 000017